(57)【要約】【課題】バッテリを用いることにより電力消費量の多い時間帯をシフトして電力需要の分散化に寄与するとともに、バッテリ電力のより一層の有効利用を図って十分に実用に適するようにした映像表示装置及び映像表示方法を提供すること。【解決手段】実施の形態によれば、映像表示装置は、信号処理手段と照明手段と電源手段と制御手段とを備える。信号処理手段は、入力信号に信号処理を施す。照明手段は、信号処理手段から出力された映像信号に基づいて映像を表示する映像表示パネルを照明する。電源手段は、外部供給電力で信号処理手段及び照明手段に電力供給を行なうとともにバッテリに充電を行なう第１の状態と、外部供給電力で照明手段に電力供給を行なうとともにバッテリの電力で信号処理手段に電力供給を行なう第２の状態とに選択的に制御される。制御手段は、第１の時間帯に電源手段を第１の状態に制御し、第１の時間帯とは異なる第２の時間帯に電源手段を第２の状態に制御する。【選択図】    図１
2012249201.tif 000002
【特許請求の範囲】
【請求項１】
入力信号に信号処理を施す信号処理手段と、
前記信号処理手段から出力された映像信号に基づいて映像を表示する映像表示パネルを照明する照明手段と、
外部からの供給電力で前記信号処理手段及び前記照明手段に電力供給を行なうとともにバッテリに充電を行なう第１の状態と、外部からの供給電力で前記照明手段に電力供給を行なうとともに前記バッテリの電力で前記信号処理手段に電力供給を行なう第２の状態とに選択的に制御される電源手段と、
予め設定された第１の時間帯に前記電源手段を第１の状態に制御し、前記第１の時間帯とは異なる予め設定された第２の時間帯に前記電源手段を第２の状態に制御する制御手段とを具備する映像表示装置。
【請求項２】
前記制御手段は、前記電源手段を第２の状態に制御している状態で、前記バッテリの電力残量が予め設定されたしきい値レベル以下に低下した場合、外部からの供給電力で前記信号処理手段及び前記照明手段に電力供給を行なうように制御する請求項１記載の映像表示装置。
【請求項３】
前記制御手段は、前記電源手段を第１の状態に制御している状態で、外部からの電力供給が停止した場合、前記バッテリの電力で前記信号処理手段及び前記照明手段に電力供給を行なうように制御する請求項１記載の映像表示装置。
【請求項４】
前記制御手段は、外部からの電力供給が復帰した場合、前記電源手段を第１の状態に制御する請求項３記載の映像表示装置。
【請求項５】
前記制御手段は、前記第１の時間帯が、前記第２の時間帯よりも電気料金の安くなる時間帯を含むように設定する請求項１記載の映像表示装置。
【請求項６】
前記制御手段は、前記第１の時間帯を外部操作によって設定可能である請求項１記載の映像表示装置。
【請求項７】
前記信号処理手段は、前記映像信号を予約録画するための録画予約手段を含む請求項１記載の映像表示装置。
【請求項８】
信号処理手段によって、入力信号に信号処理を施し、
照明手段によって、前記信号処理手段から出力された映像信号に基づいて映像を表示する映像表示パネルを照明し、
予め設定された第１の時間帯に、外部からの供給電力で前記信号処理手段及び前記照明手段に電力供給を行なうとともに、バッテリに充電を行ない、
前記第１の時間帯とは異なる予め設定された第２の時間帯に、外部からの供給電力で前記照明手段に電力供給を行なうとともに、前記バッテリの電力で前記信号処理手段に電力供給を行なう映像表示方法。
【発明の詳細な説明】
【技術分野】
【０００１】
この発明の実施の形態は、例えばデジタルテレビジョン放送受信装置等のような映像表示装置及び映像表示方法に関する。
【背景技術】
【０００２】
周知のように、近年、例えばデジタルテレビジョン放送受信装置等の映像表示装置にあっては、その映像表示のために、主として液晶ディスプレイやプラズマディスプレイ等が広く使用されてきている。これにより、表示画面が大型化しても消費電力量を少なくすることができ、省電力化を実現するようにしている。
【０００３】
また、この種の映像表示装置においては、そのディスプレイが、バックライトからの照明光を映像表示パネルに照射することにより映像を表示している。この場合、バックライトの光源としても、蛍光管や放電灯のような冷陰極管からＬＥＤ（light emitting diode）に変えることにより、さらなる省電力化を図るようにしている。
【先行技術文献】
【特許文献】
【０００４】
【特許文献１】実用新案登録第３２１７７２１号公報
【発明の概要】
【発明が解決しようとする課題】
【０００５】
バッテリを用いることにより電力消費量の多い時間帯をシフトして電力需要の分散化に寄与するとともに、バッテリ電力のより一層の有効利用を図って十分に実用に適するようにした映像表示装置及び映像表示方法を提供することを目的とする。
【課題を解決するための手段】
【０００６】
実施の形態によれば、映像表示装置は、信号処理手段と照明手段と電源手段と制御手段とを備える。信号処理手段は、入力信号に信号処理を施す。照明手段は、信号処理手段から出力された映像信号に基づいて映像を表示する映像表示パネルを照明する。電源手段は、外部からの供給電力で信号処理手段及び照明手段に電力供給を行なうとともにバッテリに充電を行なう第１の状態と、外部からの供給電力で照明手段に電力供給を行なうとともにバッテリの電力で信号処理手段に電力供給を行なう第２の状態とに選択的に制御される。制御手段は、予め設定された第１の時間帯に電源手段を第１の状態に制御し、第１の時間帯とは異なる予め設定された第２の時間帯に電源手段を第２の状態に制御する。
【図面の簡単な説明】
【０００７】
【図１】実施の形態におけるデジタルテレビジョン放送受信装置の信号処理系の一例を概略的に説明するために示すブロック構成図。
【図２】同実施の形態におけるデジタルテレビジョン放送受信装置に使用されるリモートコントローラの一例を説明するために示す外観図。
【図３】同実施の形態におけるデジタルテレビジョン放送受信装置に使用される電源部の一例を説明するために示すブロック構成図。
【図４】同実施の形態におけるデジタルテレビジョン放送受信装置の電源制御部が行なう処理動作の一例を説明するために示すフローチャート。
【図５】同実施の形態におけるデジタルテレビジョン放送受信装置が表示する時間帯選択画面及び時間帯設定画面の一例を説明するために示す図。
【図６】同実施の形態におけるデジタルテレビジョン放送受信装置の電源制御部が行なう処理動作の他の例を説明するために示すフローチャート。
【図７】同実施の形態におけるデジタルテレビジョン放送受信装置が表示するモード設定画面の一例を説明するために示す図。
【発明を実施するための形態】
【０００８】
以下、実施の形態について図面を参照して詳細に説明する。図１は、この実施の形態で説明するデジタルテレビジョン放送受信装置１１の信号処理系を概略的に示している。すなわち、アンテナ１２で受信したデジタルテレビジョン放送信号は、入力端子１３を介してチューナ部１４に供給されることにより、所望のチャンネルの放送信号が選局される。
【０００９】
このチューナ部１４で選局された放送信号は、復調復号部１５に供給されてデジタルの映像信号及び音声信号等に復元された後、信号処理部１６に出力される。この信号処理部１６は、復調復号部１５から供給されたデジタルの映像信号及び音声信号に対してそれぞれ所定のデジタル信号処理を施している。
【００１０】
そして、この信号処理部１６は、デジタルの映像信号を合成処理部１７に出力し、デジタルの音声信号を音声処理部１８に出力している。このうち、合成処理部１７は、信号処理部１６から供給されるデジタルの映像信号に、ＯＳＤ（on screen display）信号を重畳して出力している。
【００１１】
この合成処理部１７から出力されたデジタルの映像信号は、映像処理部１９に供給されて所定のフォーマットのアナログ映像信号に変換された後、例えば液晶等で構成された映像表示パネル２０上での映像形成に供される。そして、この映像表示パネル２０に、ＬＥＤ等を光源とするバックライト２１からの照明光が照射されることにより、映像の表示が行なわれる。
【００１２】
また、上記音声処理部１８は、入力されたデジタルの音声信号を、後段のスピーカ２２で再生可能なフォーマットのアナログ音声信号に変換している。そして、この音声処理部１８から出力されたアナログ音声信号が、スピーカ２２に供給されることにより音声再生に供される。
【００１３】
ここで、このデジタルテレビジョン放送受信装置１１は、上記した各種の受信動作を含むその全ての動作を制御部２３によって統括的に制御されている。この制御部２３は、ＣＰＵ（central processing unit）２３ａを内蔵しており、デジタルテレビジョン放送受信装置１１の本体に設置された操作部２４からの操作情報を受けて、または、リモートコントローラ２５から送出され受信部２６で受信した操作情報を受けて、その操作内容が反映されるように各部をそれぞれ制御している。
【００１４】
この場合、制御部２３は、メモリ部２３ｂを利用している。このメモリ部２３ｂは、主として、ＣＰＵ２３ａが実行する制御プログラムを格納したＲＯＭ（read only memory）と、該ＣＰＵ２３ａに作業エリアを提供するためのＲＡＭ（random access memory）と、各種の設定情報及び制御情報等が格納される不揮発性メモリとを有している。
【００１５】
また、この制御部２３には、ＨＤＤ（hard disk drive）２７が接続されている。この制御部２３は、ユーザによる操作部２４やリモートコントローラ２５の操作に基づいて、上記復調復号部１５から得られるデジタルの映像信号及び音声信号を、記録再生処理部２８によって暗号化し所定の記録フォーマットに変換した後、ＨＤＤ２７に供給してハードディスク２７ａに記録させるように制御することができる。
【００１６】
さらに、この制御部２３は、ユーザによる操作部２４やリモートコントローラ２５の操作に基づいて、ＨＤＤ２７によりハードディスク２７ａからデジタルの映像信号及び音声信号を読み出させ、上記記録再生処理部２８によって復号化した後、信号処理部１６に供給することによって、以後、上記した映像表示及び音声再生に供させるように制御することができる。
【００１７】
また、上記記録再生処理部２８には、入力端子２９が接続されている。この入力端子２９は、デジタルテレビジョン放送受信装置１１の外部からデジタルの映像信号及び音声信号を直接入力するためのものである。この入力端子２９を介して入力されたデジタルの映像信号及び音声信号は、制御部２３の制御に基づいて、記録再生処理部２８を介した後、信号処理部１６に供給されて、以後、上記した映像表示及び音声再生に供される。
【００１８】
さらに、この入力端子２９を介して入力されたデジタルの映像信号及び音声信号は、制御部２３の制御に基づいて、記録再生処理部２８を介した後、ＨＤＤ２７によるハードディスク２７ａに対しての記録再生に供される。
【００１９】
また、上記制御部２３には、ネットワークインターフェース３０が接続されている。このネットワークインターフェース３０は、外部のネットワーク３１に接続されている。そして、このネットワーク３１には、当該ネットワーク３１を介した通信機能を利用して各種のサービスを提供するためのネットワークサーバ３２が接続されている。
【００２０】
このため、制御部２３は、ユーザによる操作部２４やリモートコントローラ２５の操作に基づき、ネットワークインターフェース３０及びネットワーク３１を介して、ネットワークサーバ３２にアクセスして情報通信を行なうことにより、そこで提供しているサービスを利用することができるようになっている。
【００２１】
また、上記制御部２３には、電源部３３が接続されている。この電源部３３には、電源端子３４を介して電力会社が配給する商用交流電力が供給されている。そして、この電源部３３は、制御部２３の制御に基づいて、電源端子３４に供給された商用交流電力を元として、デジタルテレビジョン放送受信装置１１を構成している各部１４〜２４，２６〜２８，３０等に必要な電力を供給するように機能している。
【００２２】
この場合、上記電源部３３は、バッテリ３３ａを内蔵している。そして、この電源部３３は、制御部２３の制御に基づいて、電源端子３４を介して供給される商用交流電力によりバッテリ３３ａを充電したり、バッテリ３３ａの充電電力を各部に供給したりすることができる。
【００２３】
また、上記制御部２３は、タイマ２３ｃ、ＥＰＧ（electronic program guide）情報取得部２３ｄ、電源制御部２３ｅ、録画予約設定部２３ｆ等を備えている。このうち、タイマ２３ｃは、現在時刻の取得や時間経過を計測する計時動作のために利用される。また、ＥＰＧ情報取得部２３ｄは、受信した放送信号やネットワークサーバ３２等からＥＰＧ情報を取得している。
【００２４】
さらに、電源制御部２３ｅは、詳細は後述するが、上記電源部３３の動作を制御している。また、録画予約設定部２３ｆは、放送予定のテレビジョン放送番組やネットワークサーバ３２からの配信予定番組等を、ＨＤＤ２７に予約録画するための録画予約情報を設定するための機能を備えている。
【００２５】
図２は、上記リモートコントローラ２５の外観を示している。このリモートコントローラ２５には、主として、電源キー２５ａ、数字キー２５ｂ、チャンネルアップダウンキー２５ｃ、音量調整キー２５ｄ、カーソル上移動キー２５ｅ、カーソル下移動キー２５ｆ、カーソル左移動キー２５ｇ、カーソル右移動キー２５ｈ、決定キー２５ｉ、メニューキー２５ｊ、戻るキー２５ｋ、終了キー２５ｌ、４色（青，赤，緑，黄）のカラーキー２５ｍ等が設けられている。
【００２６】
また、このリモートコントローラ２５には、再生停止キー２５ｎ、再生／一時停止キー２５ｏ、逆方向スキップキー２５ｐ、順方向スキップキー２５ｑ、早戻しキー２５ｒ、早送りキー２５ｓ等が設けられている。
【００２７】
すなわち、上記ＨＤＤ２７に対しては、リモートコントローラ２５の再生停止キー２５ｎや再生／一時停止キー２５ｏを操作することにより、再生、停止、一時停止を行なうことが可能となる。
【００２８】
また、リモートコントローラ２５の逆方向スキップキー２５ｐや順方向スキップキー２５ｑを操作することによって、ＨＤＤ２７でハードディスク２７ａから読み取っている映像や音声等のデータを、その再生方向に対して逆方向や順方向に一定量ずつスキップさせる、いわゆる、逆方向スキップや順方向スキップを行なうことができる。
【００２９】
さらに、リモートコントローラ２５の早戻しキー２５ｒや早送りキー２５ｓ等を操作することにより、ＨＤＤ２７でハードディスク２７ａから読み取っている映像や音声等のデータを、その再生方向に対して逆方向や順方向に連続的に高速で再生させる、いわゆる、早戻し再生や早送り再生を行なうことができる。
【００３０】
図３は、上記電源部３３の一例を示している。この電源部３３は、上記電源端子３４を介して商用交流電力が供給される入力端子３３ｂを備えている。この入力端子３３ｂに供給された電力は、ＡＣ（alternating current）−ＤＣ（direct current）変換部３３ｃ及び充放電ユニット３３ｄに供給される。
【００３１】
このうち、ＡＣ−ＤＣ変換部３３ｃは、入力された交流電力を所定レベルの直流電力に変換している。そして、このＡＣ−ＤＣ変換部３３ｃで変換された直流電力は、スイッチＳＷ１，ＳＷ２及び出力端子３３ｅを介して上記バックライト２１に供給可能となっている。また、このＡＣ−ＤＣ変換部３３ｃで変換された直流電力は、スイッチＳＷ１，ＳＷ３及び出力端子３３ｆを介して、上記バックライト２１を除く各部１４〜２０，２２〜２４，２６〜２８，３０等に供給可能となっている。
【００３２】
一方、上記充放電ユニット３３ｄは、入力された交流電力を所定レベルの直流電力に変換し、スイッチＳＷ４を介して上記バッテリ３３ａに供給して充電を行なわせる機能を備えている。また、この充放電ユニット３３ｄは、バッテリ３３ａに充電された電力を、スイッチＳＷ５を介して取得し、スイッチＳＷ６，ＳＷ７及び出力端子３３ｇを介して上記バックライト２１に供給可能となっている。さらに、この充放電ユニット３３ｄは、スイッチＳＷ５を介して取得したバッテリ３３ａの電力を、スイッチＳＷ６，ＳＷ８及び出力端子３３ｈを介して、上記バックライト２１を除く各部１４〜２０，２２〜２４，２６〜２８，３０等に供給可能となっている。
【００３３】
また、上記ＡＣ−ＤＣ変換部３３ｃは、入力端子３３ｂに供給されている電力を常時監視しており、例えば停電等により上記電源端子３４への商用交流電源の供給が停止される等の理由により、入力端子３３ｂへの電力供給が停止された場合に、その旨を示す検出信号Ａを出力する。この検出信号Ａは、出力端子３３ｉを介して上記電源制御部２３ｅに供給される。
【００３４】
さらに、上記充放電ユニット３３ｄも、入力端子３３ｂに供給されている電力を常時監視しており、例えば停電等により上記電源端子３４への商用交流電源の供給が停止される等の理由により、入力端子３３ｂへの電力供給が停止された場合に、その旨を示す検出信号Ｂを出力する。この検出信号Ｂは、出力端子３３ｊを介して上記電源制御部２３ｅに供給される。
【００３５】
また、上記充放電ユニット３３ｄは、スイッチＳＷ５を介してバッテリ３３ａの電力残量を監視しており、バッテリ３３ａの電力残量が予め設定されたしきい値レベル以下に低下した場合に、その旨を示す検出信号Ｃを出力する。この検出信号Ｃは、出力端子３３ｋを介して上記電源制御部２３ｅに供給される。
【００３６】
ここで、上記電源制御部２３ｅには、上記タイマ２３ｃから出力される時刻情報、上記ＥＰＧ情報取得部２３ｄで取得したＥＰＧ情報に含まれる時刻情報、上記録画予約設定部２３ｆで録画予約設定されていることを示す録画予約設定情報等が供給されている。そして、この電源制御部２３ｅは、入力された時刻情報、録画予約設定情報、検出信号Ａ，Ｂ，Ｃ等に基づいて、電源部３３の各スイッチＳＷ１〜ＳＷ８をそれぞれオンオフ制御するためのスイッチ制御信号ＳＷＣ１〜ＳＷＣ８を生成する。このスイッチ制御信号ＳＷＣ１〜ＳＷＣ８は、電源部３３の入力端子３３ｌを介して各スイッチＳＷ１〜ＳＷ８に供給されている。
【００３７】
図４は、上記電源制御部２３ｅが行なう主要な処理動作をまとめたフローチャートを示している。すなわち、処理が開始（ステップＳ４ａ）されると、電源制御部２３ｅは、ステップＳ４ｂで、電力シフトモードに設定されているか否かを判別する。
【００３８】
この電力シフトモードとは、例えば深夜のように電力需要に余裕のある時間帯にバッテリ３３ａを充電しておき、日中の午後のように電力消費量がピークとなる時間帯には、バッテリ３３ａの電力でデジタルテレビジョン放送受信装置１１を駆動させるようにしたもので、要するに、電力消費量の多い時間帯をシフトし電力需要の分散化を図るように機能させるものである。
【００３９】
そして、ステップＳ４ｂで電力シフトモードに設定されていると判断された場合（ＹＥＳ）、電源制御部２３ｅは、ステップＳ４ｃで、現在時刻が予め設定された時間帯に達したか否かを判別する。この場合、予め設定された時間帯とは、例えば夜間等の電力需要に余裕があり電力料金が安くなる時間帯を想定している。そして、電源制御部２３ｅは、入力される時刻情報に基づいて当該時間帯に達したと判断した場合（ＹＥＳ）、ステップＳ４ｄで、電源部３３のスイッチＳＷ１〜ＳＷ４をオン状態に制御し、スイッチＳＷ５〜ＳＷ８をオフ状態に制御する。
【００４０】
これにより、ＡＣ−ＤＣ変換部３３ｃで変換された直流電力が、スイッチＳＷ１，ＳＷ２及び出力端子３３ｅを介してバックライト２１に供給されるとともに、スイッチＳＷ１，ＳＷ３及び出力端子３３ｆを介してバックライト２１を除く各部１４〜２０，２２〜２４，２６〜２８，３０に供給される。また、充放電ユニット３３ｄで変換された直流電力が、スイッチＳＷ４を介してバッテリ３３ａに供給される。
【００４１】
つまり、デジタルテレビジョン放送受信装置１１は、現在電力会社から配給されている商用交流電力で、バックライト２１の点灯や、バックライト２１を除く各部１４〜２０，２２〜２４，２６〜２８，３０の信号処理等が実行され、同時に、バッテリ３３ａの充電が行なわれることになる。この場合、バッテリ３３ａの充電電力は、充放電ユニット３３ｄに供給されず、充放電ユニット３３ｄからバックライト２１及びバックライト２１を除く各部１４〜２０，２２〜２４，２６〜２８，３０への電力供給は停止されている。
【００４２】
このような状態で、電源制御部２３ｅは、ステップＳ４ｅで、現在時刻が予め設定された時間帯を過ぎたか否かを判別し、過ぎていないと判断された場合（ＮＯ）、ステップＳ４ｄの処理に戻される。また、上記ステップＳ４ｅで現在時刻が予め設定された時間帯を過ぎたと判断された場合（ＹＥＳ）、電源制御部２３ｅは、ステップＳ４ｆで、電源部３３のスイッチＳＷ５〜ＳＷ８をオン状態に制御し、スイッチＳＷ１〜ＳＷ４をオフ状態に制御する。
【００４３】
これにより、バッテリ３３ａの充電電力が、スイッチＳＷ５を介して充放電ユニット３３ｄに供給され、充放電ユニット３３ｄからスイッチＳＷ６，ＳＷ７及び出力端子３３ｇを介してバックライト２１に電力が供給されるとともに、充放電ユニット３３ｄからスイッチＳＷ６，ＳＷ８及び出力端子３３ｈを介してバックライト２１を除く各部１４〜２０，２２〜２４，２６〜２８，３０に電力が供給される。
【００４４】
つまり、デジタルテレビジョン放送受信装置１１は、バッテリ３３ａに充電された電力で、バックライト２１の点灯や、バックライト２１を除く各部１４〜２０，２２〜２４，２６〜２８，３０の信号処理等が実行されることになる。この場合、バッテリ３３ａへの充電は行なわれなくなり、ＡＣ−ＤＣ変換部３３ｃからバックライト２１及びバックライト２１を除く各部１４〜２０，２２〜２４，２６〜２８，３０への電力供給は停止される。
【００４５】
その後、電源制御部２３ｅは、ステップＳ４ｇで、電力シフトモードが解除されたか否かを判別し、解除されていないと判断された場合（ＮＯ）、ステップＳ４ｃの処理に戻される。また、上記ステップＳ４ｇで電力シフトモードが解除されたと判断された場合（ＹＥＳ）、電源制御部２３ｅは、処理を終了（ステップＳ４ｈ）する。
【００４６】
上記した実施の形態によれば、例えば夜間等の電力料金が安くなる時間帯に電力会社から配給される電力でデジタルテレビジョン放送受信装置１１を駆動するとともにバッテリ３３ａを充電し、それ以外の時間帯にバッテリ３３ａに蓄積された電力でデジタルテレビジョン放送受信装置１１を駆動するようにしている。つまり、バッテリ３３ａを用いることにより電力消費量の多い時間帯をシフトして電力需要の分散化に寄与することができるようになる。
【００４７】
なお、上記した実施の形態では、バッテリ３３ａによって、バックライト２１及びバックライト２１を除く各部１４〜２０，２２〜２４，２６〜２８，３０への電力供給を行なうようにしているが、バックライト２１の電力消費量は、バックライト２１を除く各部１４〜２０，２２〜２４，２６〜２８，３０の電力消費量の合計よりも大きいため、バッテリ３３ａにとって電力消費の点で不利となる。
【００４８】
このため、上記ステップＳ４ｅで現在時刻が予め設定された時間帯を過ぎたと判断された場合（ＹＥＳ）、電源制御部２３ｅは、次のステップＳ４ｆにおいて、電源部３３のスイッチＳＷ１，ＳＷ２，ＳＷ５，ＳＷ６，ＳＷ８をオン状態に制御し、スイッチＳＷ３，ＳＷ４，ＳＷ７をオフ状態に制御する。
【００４９】
これにより、ＡＣ−ＤＣ変換部３３ｃで変換された直流電力が、スイッチＳＷ１，ＳＷ２及び出力端子３３ｅを介してバックライト２１に供給されるとともに、充放電ユニット３３ｄからスイッチＳＷ６，ＳＷ８及び出力端子３３ｈを介してバックライト２１を除く各部１４〜２０，２２〜２４，２６〜２８，３０に電力が供給される。
【００５０】
つまり、デジタルテレビジョン放送受信装置１１は、ＡＣ−ＤＣ変換部３３ｃからの供給電力でバックライト２１が駆動され、バッテリ３３ａの電力でバックライト２１を除く各部１４〜２０，２２〜２４，２６〜２８，３０における信号処理がそれぞれ実行されることになる。このため、電力需要の分散化に寄与しつつ、バッテリ３３ａの電力を有効利用することができるようになり、十分に実用に好適するものとなる。
【００５１】
また、バッテリ３３ａの電力でデジタルテレビジョン放送受信装置１１を駆動している状態（スイッチＳＷ５〜ＳＷ８がオンでスイッチＳＷ１〜ＳＷ４がオフに制御される状態と、スイッチＳＷ１，ＳＷ２，ＳＷ５，ＳＷ６，ＳＷ８がオンでスイッチＳＷ３，ＳＷ４，ＳＷ７がオフに制御される状態とのいずれも含む）で、バッテリ３３ａの電力が消耗し、充放電ユニット３３ｄからバッテリ３３ａの電力残量が予め設定されたしきい値レベル以下に低下した旨を示す検出信号Ｃが出力されたとする。
【００５２】
すると、検出信号Ｃを受信した電源制御部２３ｅは、スイッチＳＷ１〜ＳＷ３をオン状態に制御し、スイッチＳＷ４〜ＳＷ８をオフ状態に制御する。これにより、ＡＣ−ＤＣ変換部３３ｃの電力が、バックライト２１及びバックライト２１を除く各部１４〜２０，２２〜２４，２６〜２８，３０に供給され、デジタルテレビジョン放送受信装置１１が継続して駆動されるようになる。
【００５３】
さらに、現在時刻が予め設定された時間帯内にあり、上記ステップＳ４ｄに示したように、ＡＣ−ＤＣ変換部３３ｃの電力でデジタルテレビジョン放送受信装置１１の駆動と、バッテリ３３ａの充電とを行なっている状態で、停電等により入力端子３３ｂへの電力供給が停止し、ＡＣ−ＤＣ変換部３３ｃ及び充放電ユニット３３ｄから、それぞれ、その旨を示す検出信号Ａ，Ｂが出力されたとする。
【００５４】
すると、検出信号Ａ，Ｂを受信した電源制御部２３ｅは、スイッチＳＷ５〜ＳＷ８をオン状態に制御し、スイッチＳＷ１〜ＳＷ４をオフ状態に制御する。これにより、バッテリ３３ａの充電電力が、バックライト２１及びバックライト２１を除く各部１４〜２０，２２〜２４，２６〜２８，３０に供給され、デジタルテレビジョン放送受信装置１１が継続して駆動されることになる。
【００５５】
特に、録画予約設定部２３ｆに録画予約情報が設定されて録画予約が設定されている状態では、停電等により入力端子３３ｂへの電力供給が停止してしまうと、録画動作を行なうことができなくなり予約録画ができなくなる。このため、電源制御部２３ｅは、録画予約設定情報が供給されて録画予約が設定されていると判断した場合には、停電等により入力端子３３ｂへの電力供給が停止したとき、バッテリ３３ａの充電電力に切り替えることよってデジタルテレビジョン放送受信装置１１を継続して駆動させ、予約録画を行なうことができるようにしている。
【００５６】
なお、入力端子３３ｂへの電力供給が復帰した場合、つまり、ＡＣ−ＤＣ変換部３３ｃ及び充放電ユニット３３ｄから検出信号Ａ，Ｂが出力されなくなった場合、電源制御部２３ｅは、スイッチＳＷ１〜ＳＷ４をオン状態に制御し、スイッチＳＷ５〜ＳＷ８をオフ状態に制御して、ＡＣ−ＤＣ変換部３３ｃの電力でデジタルテレビジョン放送受信装置１１の駆動と、バッテリ３３ａの充電とを行なっている状態に戻すようにする。
【００５７】
ここで、バッテリ３３ａに充電を行なうための時間帯の設定は、デジタルテレビジョン放送受信装置１１の設置されている地域に応じて電気料金が安くなる時間帯に自動的に設定するモードと、ユーザが指定した時間帯に設定するモードとを選択することができる。この選択は、ユーザがリモートコントローラ２５のメニューキー２５ｊを操作して階層構造となされた複数のメニュー画面に分け入ることにより、図５（ａ）に示すような時間帯選択画面３５を映像表示パネル２０に表示させることにより行なわれる。
【００５８】
この時間帯選択画面３５は、「自動設定」なる項目３５ａと「ユーザ設定」なる項目３５ｂとを選択肢として表示しており、ユーザがリモートコントローラ２５のカーソル左または右移動キー２５ｈを操作して所望の項目３５ａ，３５ｂを選択し、決定キー２５ｉを操作することで設定される。
【００５９】
「自動設定」が選定された場合には、デジタルテレビジョン放送受信装置１１の設置されている地域（デジタルテレビジョン放送受信装置１１の設置時に入力した郵便番号等で指定される）に応じて電気料金が安くなる時間帯が自動的に設定される。また、「ユーザ設定」が選定された場合には、図５（ｂ）に示すような時間帯設定画面３６が表示され、ユーザが自分で時間帯を設定することになる。この時間帯設定画面３６は、開始時分を入力する入力欄３６ａと終了時分を入力する入力欄３６ｂとを表示している。そして、ユーザがリモートコントローラ２５のカーソル左または右移動キー２５ｈを操作して所望の入力欄３５ａ，３５ｂを選択し、数字キー２５ｂにより時分を入力した後、決定キー２５ｉを操作することで時間帯の設定が行なわれる。
【００６０】
図６は、上記電源制御部２３ｅが行なう処理動作の他の例をまとめたフローチャートを示している。すなわち、処理が開始（ステップＳ６ａ）されると、電源制御部２３ｅは、ステップＳ６ｂで、安心録画予約モードに設定されているか否かを判別する。
【００６１】
この安心録画予約モードとは、録画予約が設定されている状態で停電等により入力端子３３ｂへの電力供給が停止したとき、自動的にバッテリ３３ａの電力に切り替えてデジタルテレビジョン放送受信装置１１を駆動させるようにして、停電になっても予約録画を失敗なく行なえるように機能させるものである。
【００６２】
そして、上記ステップＳ６ｂで安心録画予約モードに設定されていると判断された場合（ＹＥＳ）、電源制御部２３ｅは、ステップＳ６ｃで、録画予約設定部２３ｆに録画予約情報が設定されたことによる録画予約中であるか否かを判別する。
【００６３】
この場合、電源制御部２３ｅは、スイッチＳＷ１〜ＳＷ４をオン状態に制御し、スイッチＳＷ５〜ＳＷ８をオフ状態に制御しており、デジタルテレビジョン放送受信装置１１が入力端子３３ｂに供給されている電力で駆動され、バッテリ３３ａが充電されているものとする。
【００６４】
そして、録画予約中であると判断された場合（ＹＥＳ）、電源制御部２３ｅは、ステップＳ６ｄで、入力端子３３ｂへの電力供給が停止したか否かを判別する。この判別は、電源制御部２３ｅが、ＡＣ−ＤＣ変換部３３ｃ及び充放電ユニット３３ｄから、それぞれ、停電等により入力端子３３ｂへの電力供給が停止した旨を示す検出信号Ａ，Ｂが出力されたか否かを判定することによって行なわれる。
【００６５】
ここで、入力端子３３ｂへの電力供給が停止していないと判断された場合（ＮＯ）、電源制御部２３ｅは、ステップＳ６ｃの処理に戻され、入力端子３３ｂへの電力供給が停止していると判断された場合（ＹＥＳ）、ステップＳ６ｅで、スイッチＳＷ５〜ＳＷ８をオン状態に制御し、スイッチＳＷ１〜ＳＷ４をオフ状態に制御する。
【００６６】
これにより、バッテリ３３ａの充電電力が、バックライト２１及びバックライト２１を除く各部１４〜２０，２２〜２４，２６〜２８，３０に供給され、デジタルテレビジョン放送受信装置１１が継続して駆動されることになる。このため、予約録画を行なうことができるようになる。
【００６７】
その後、電源制御部２３ｅは、ステップＳ６ｆで、入力端子３３ｂへの電力供給が復帰したか否かを判別する。この判別も、電源制御部２３ｅが、ＡＣ−ＤＣ変換部３３ｃ及び充放電ユニット３３ｄから検出信号Ａ，Ｂが出力されたか否かを判定することによって行なわれる。
【００６８】
そして、入力端子３３ｂへの電力供給が復帰していないと判断された場合（ＮＯ）、電源制御部２３ｅは、ステップＳ６ｃの処理に戻され、入力端子３３ｂへの電力供給が復帰していると判断された場合（ＹＥＳ）、ステップＳ６ｇで、スイッチＳＷ１〜ＳＷ４をオン状態に制御し、スイッチＳＷ５〜ＳＷ８をオフ状態に制御する。
【００６９】
これにより、入力端子３３ｂへの供給電力で、バックライト２１及びバックライト２１を除く各部１４〜２０，２２〜２４，２６〜２８，３０が駆動され、予約録画を行なうことができるようになる。
【００７０】
その後、電源制御部２３ｅは、ステップＳ６ｈで、安心録画予約モードが解除されたか否かを判別し、解除されていないと判断された場合（ＮＯ）、ステップＳ６ｃの処理に戻される。また、上記ステップＳ６ｈで安心録画予約モードが解除されたと判断された場合（ＹＥＳ）、電源制御部２３ｅは、処理を終了（ステップＳ６ｉ）する。
【００７１】
ここで、デジタルテレビジョン放送受信装置１１を上記した電力シフトモードと安心録画予約モードとのいずれのモードで駆動させるかを、ユーザに設定させるようにすることができる。この設定は、ユーザがリモートコントローラ２５のメニューキー２５ｊを操作して階層構造となされた複数のメニュー画面に分け入ることにより、図７に示すようなモード設定画面３７を映像表示パネル２０に表示させることにより行なわれる。
【００７２】
このモード設定画面３７は、「電力シフト」なる項目３７ａと「安心録画予約」なる項目３７ｂとを選択肢として表示しており、ユーザがリモートコントローラ２５のカーソル左または右移動キー２５ｈを操作して所望の項目３７ａ，３７ｂを選択し、決定キー２５ｉを操作することで設定される。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７４】
１１…デジタルテレビジョン放送受信装置、１２…アンテナ、１３…入力端子、１４…チューナ部、１５…復調復号部、１６…信号処理部、１７…合成処理部、１８…音声処理部、１９…映像処理部、２０…映像表示パネル、２１…バックライト、２２…スピーカ、２３…制御部、２３ａ…ＣＰＵ、２３ｂ…メモリ部、２３ｃ…タイマ、２３ｄ…ＥＰＧ情報取得部、２３ｅ…電源制御部、２３ｆ…録画予約設定部、２４…操作部、２５…リモートコントローラ、２６…受信部、２７…ＨＤＤ、２７ａ…ハードディスク、２８…記録再生処理部、２９…入力端子、３０…ネットワークインターフェース、３１…ネットワーク、３２…ネットワークサーバ、３３…電源部、３３ａ…バッテリ、３３ｂ…入力端子、３３ｃ…ＡＣ−ＤＣ変換部、３３ｄ…充放電ユニット、３３ｅ〜３３ｋ…出力端子、３３ｌ…入力端子、３４…電源端子、３５…時間帯選択画面、３６…時間帯設定画面、３７…モード設定画面。
【図１】
2012249201.tif 000003
【図２】
2012249201.tif 000004
【図３】
2012249201.tif 000005
【図４】
2012249201.tif 000006
【図５】
2012249201.tif 000007
【図６】
2012249201.tif 000008
【図７】
2012249201.tif 000009